(57)【要約】【課題】スノーケル内に水が浸入することを防ぐスノーケルの防水器を提供する。【解決手段】スノーケルの上端に設けられた装置であって、開口部を有する本体２０、水位に応じて昇降移動する浮動体３０、本体の開口部を閉塞する閉鎖体４０、そして複数個の窓口を有するカバー５０体からなる。  そのうち本体は、スノーケルの上端の開口部に連結され、自ら開口部を有する以外に、浮動体、閉鎖体およびカバー体と連結する。また、閉鎖体が浮動体により牽引されることにより蓋が開口部を閉塞するが、浮動体が上昇していないのにかかわらず、閉鎖体が開口部を閉塞する動作を開始した場合、浮動体には閉鎖体の動作を中断させる機能があり、開口部が誤動作により閉塞されるのを防止する。【選択図】図４
0003121750.tif 000002
【実用新案登録請求の範囲】
【請求項１】
本体、浮動体、閉鎖体およびカバー体を備えるスノーケルの防水器において、
前記本体は、空洞の管状を呈してスノーケルの上端に装着されて、その開口部がスノーケルまで延伸されて連結されてなり、
前記浮動体は、水よりも比重が小さな部品であって、その下部が開口部の下方にある本体と揺動可能に嵌合することによって水に対する浮力に応じて昇降移動可能とされ、さらに該浮動体にはその昇降移動に伴なって前記閉鎖体を牽引する部品が設けられてなり、
前記閉鎖体は、下部が前記本体と嵌合部材を中心軸として揺動可能に連結され、さらに前記閉鎖体の上部には蓋が設けられて、前記閉鎖体が前記浮動体により牽引されて揺動することにより前記蓋が前記開口部を閉塞可能とされ、
前記カバー体は、中空状の碗状を呈して水の出入のために複数個の孔が設けられてなり、前記本体と連結されて内部の空間に前記浮動体及び前記閉鎖体を収容して昇降移動の空間を与えてなる、
ことを特徴とするスノーケルの上端に設けられてなるスノーケルの防水器。
【請求項２】
前記本体の開口部の下方に第一支軸部及び第二支軸部が設けられて、それぞれ浮動体及び閉鎖体を揺動可能に嵌合されることを特徴とする請求項１記載のスノーケルの防水器。
【請求項３】
前記浮動体に前記閉鎖体を牽引するための、閉鎖体に係合するポール体が設けられてなることを特徴とする請求項１記載のスノーケルの防水器。
【請求項４】
前記浮動体に閉鎖体と相互に嵌合する部品が設けられてことを特徴とする請求項１記載のスノーケルの防水器。
【請求項５】
前記相互に嵌合する部品の相対的位置の上には、微突起及びくぼみが設けられることを特徴とする請求項４記載のスノーケルの防水器。
【請求項６】
前記閉鎖体にポール体が牽引する孔が設けられていることを特徴とする請求項１記載のスノーケルの防水器。
【考案の詳細な説明】
【技術分野】
【０００１】
本考案は、水泳（スキューバダイビング、スノーケリングおよびその他の水上スポーツ）用スノーケルの防水器の構造に関し、特にスノーケルの上端の開口部の開閉構造に関する。
【背景技術】
【０００２】
スノーケル（Snorkel）は、スキューバダイビングやスノーケリングなどで必要な装備であり、主に使用者が水面または水面下においてスノーケルの上端を水面上に出した時に、空気を吸入することを可能とする装置である。防水器を装着することにより、波または水しぶきが空気穴へ浸入することを防止する以外に、スノーケル全体が完全に水没したときに、上端の空気穴が自動的に閉塞され、水がスノーケル内に浸入することを防止し、使用者の口に水が入らないようにする。
【０００３】
現在よく見られるスノーケルは、上端に防水器を装着して、スノーケルが水没したときに、自動的に開口部を閉塞する構造のものが多く、そのほとんどが少なくとも１つの水位の上昇に応じて空気孔や空気の通り道を閉塞する浮動体を有している。
図１、２で示されるのは、アメリカ特許５９６０７９１の簡単な側面図であり、図中には浮動体A、蓋B、開口部Cおよび破線で表示されたカバーDがあり、この実施形態は一般のスノーケルの構造より優れているが、まだ以下のような実質上の問題点があった。
第１に、使用者が水に入る前に、使用者が大きな動作によってスノーケルを図２のように傾けた場合、浮動体Aの上方にある蓋Bが開口部Cを閉塞し、使用者が空気を吸入することを出来なくしてしまう。
第２に、肺活量の多い使用者の場合、スノーケルを正常の角度で使用しているにもかかわらず、過度に速い吸気のために強い吸引力が生じてしまい、それによって蓋Bが開口部Cを閉塞し、吸気が中断されるという状況を形成してしまう。
【特許文献１】特開平１０−５９２８０号公報
【考案の開示】
【考案が解決しようとする課題】
【０００４】
前述した従来公知の構造には以下の欠点があった。
すなわち、使用者が水に入る前に、使用者が大きな動作によってスノーケルを図２のように傾けた場合、浮動体Aの上方にある蓋Bが開口部Cを閉塞し、使用者が空気を吸入することを出来なくしてしまう。
さらに、肺活量の多い使用者の場合、スノーケルを正常の角度で使用しているにもかかわらず、過度に速い吸気のために強い吸引力が生じ、それによって蓋Bが開口部Cを閉塞し、吸気が中断されるという状況を形成してしまう。
本考案の課題は、上記の問題点に鑑みてなされたもので、水位の上昇による浮力によって閉鎖体が本体開口部を閉塞する動作が行われ、蓋の開口部の部品が間接的に動かされることにより本体開口部を閉塞する蓋の動作が行われ、蓋が過度に速い吸気によって開口部を閉塞するのを防止し、さらには蓋がスノーケルの傾きにより開口部を閉塞するのを防止することが出来るスノーケルの防水器を提供するものである。
【課題を解決するための手段】
【０００５】
上記課題を解決させるために請求項１の考案は、本体、浮動体、閉鎖体およびカバー体を備えるスノーケルの防水器において、前記本体は、空洞の管状を呈し、スノーケルの上端に装着され、さらに開口部がスノーケルまで延伸されて連結されてなり、該開口部の下方の本体には、嵌合させたり、移動させたりする部品として浮動体、閉鎖体を設けてなり、さらに前記本体は前記カバー体と連結してなり、前記浮動体は、水よりも比重が小さな部品であり、その下部は開口部の下方にある本体と揺動可能に嵌合してなり、並びに水位上昇に伴なう水の浮力によって昇降移動を行うことが可能であり、前記浮動体には前記閉鎖体を牽引する部品が設けられてなり、前記閉鎖体は、下部が前記本体と嵌合してなり、並びに嵌合する部分を中心軸として揺動してなり、さらに前記閉鎖体の上部には蓋が設けられてなり、前記閉鎖体が前記浮動体により牽引されることにより前記蓋は前記開口部を閉塞することが可能となり、前記カバー体は、中空状の碗状を呈し、前記本体と連結してなり、さらに内部の空間に前記浮動体及び前記閉鎖体を有し、昇降移動の空間を与え、前記カバー体は水の出入のために複数個の孔が設けられてなり、前記浮動体が該閉鎖体を牽引することによって、前記蓋が前記本体の開口部を閉塞することを可能とすることを特徴とするスノーケルの上端に設けられてなるスノーケルの防水器である。
【０００６】
請求項２の考案は、前記本体の開口部の下方に第一支軸部及び第二支軸部が設けられて、それぞれ浮動体及び閉鎖体に嵌合されることを特徴とする請求項１記載のスノーケルの防水器である。
【０００７】
請求項３の考案は、前記浮動体に前記閉鎖体を牽引するためのポール体が設けられてなることを特徴とする請求項１記載のスノーケルの防水器である。
【０００８】
請求項４の考案は、前記浮動体に閉鎖体と相互に嵌合する部品が設けられてことを特徴とする請求項１記載のスノーケルの防水器である。
【０００９】
請求項５の考案は、前記相互に嵌合する部品の相対的位置の上には、微突起及びくぼみが設けられることを特徴とする請求項４記載のスノーケルの防水器である。
【００１０】
請求項６の考案は、前記閉鎖体にポール体が牽引する孔が設けられていることを特徴とする請求項１記載のスノーケルの防水器である。
【考案の効果】
【００１１】
本考案によれば、スノーケルの防水器をスノーケルの上端の開口部に連結して、自ら開口部を有する以外に、浮動体、閉鎖体およびカバー体と連結し、閉鎖体が浮動体により牽引されることにより蓋が開口部を閉塞する。しかし、浮動体が上昇していないにもかかわらず、閉鎖体が開口部を閉塞する動作を開始した場合、浮動体には閉鎖体の動作を中断させ、開口部が誤動作により閉塞されるのを防止することが出来る。
【考案を実施するための最良の形態】
【００１２】
図３、４で示すように、本考案は、本体２０、浮動体３０、閉鎖体４０およびカバー体５０を含み、スノーケル１０の上端に設けられた装置であり、
該本体２０は、開口部２１、スノーケルから吹き出す水が回りに飛び散るのを防ぐために開口部２１を覆う上壁２２及び開口部２１の下方に備えた第一支軸部２３と第二支軸部２４からなり、
前記浮動体３０は、水よりも比重が小さく、浮動体本体、一対の透孔３２、ポール体３３及び少なくとも１つの微突起３４からなるものであり、
前記閉鎖体４０は、閉鎖体本体４１、一対の透孔４２、蓋４３及び孔４４からなるものである。
【００１３】
カバー体５０は、本体２０に装着される、碗状を呈しており、連結すると本体２０とカバー体５０の間に空間が形成され、その空間に浮動体３０および閉鎖体４０が収容される。カバー体５０は、浮動体３０及び閉鎖体４０がカバー体５０内で昇降移動するのを保護し、また、浮動体３０および閉鎖体４０が外部からの衝撃で誤動作を起こしたり、破損したりするのを防止する。カバー体５０には複数個の窓口５１があり、カバー体５０内への水の出入に使われ、浮動体３０を水位に応じて昇降させる。
【００１４】
本体２０は、空洞の管体で、スノーケル１０の上端に装着される。本体２０の開口部２１は、直接スノーケル１０にまで連結し、使用者がスノーケル１０の下端にあるマウスピースから呼吸するのに用いられる。開口部２１の外側に上壁２２を有し、開口部２１に水が浸入するのを防ぐ。本体２０の表面で、開口部２１の下方に上、下それぞれ一対の第一支軸部２３および第二支軸部２４を有し、上方の第一支軸部２３は浮動体３０と嵌合し、下方の第二支軸部２４は閉鎖体４０と嵌合する。
【００１５】
浮動体３０は、水よりも比重が小さい浮動体本体を具えてなる。
該浮動体本体の下部には一対の透孔３２を有し、一対の透孔３２は、本体２０の第一支軸部２３と回動可能に嵌合する。浮動体本体の後部上方の中間にはポール体３３が設けられてなり、
該ポール体３３は、閉鎖体４０の孔４４内に配置されてなり、浮動体本体の上方の外側（ポール体３３の下方の両側）には一対の微突起３４を設けてなる。
上記した通孔３２は、第一支軸部２３と嵌合して、第一支軸部２３を中心軸として揺動する。即ち、その中心軸の位置は、浮動体３０の浮動体本体の片側である。浮動体本体は、水位の昇降に応じて第一支軸部２３を中心軸として本体２０の開口部２１に向けて揺動することにより、浮動体本体の昇降移動が行われる。浮動体本体の昇降移動が行われると同時に、閉鎖体４０の孔４４内のポール体３３も昇降移動を開始し、閉鎖体４０を牽引する。微突起３４は、浮動体３０が下降しているにかかわらず、閉鎖体４０が上昇した時には、閉鎖体４０のくぼみ４６に引っ掛かり、閉鎖体４０の上昇を不可能とし、蓋４３が誤って開口部２１を閉塞してしまうのを防ぐ。
【００１６】
閉鎖体４０は、弧状の閉鎖体本体４１を有し、弧状の内側の空間は浮動体３０が昇降移動するのに使われる。閉鎖体本体４１は、水が流れ込む空間を十分有する。閉鎖体本体４１の下部の両側に一対の透孔４２が設けられているが、通孔４２は本体２０の第二支軸部２４と嵌合し、第二支軸部２４を中心軸として揺動する。閉鎖体本体４１の上部には蓋４３があり、閉鎖体本体４１が上方へ移動をして予め決められた所まで移動すると、蓋４３は開口部２１をぴったり閉塞し、開口部２１を密閉された状態にする。弧状の閉鎖体本体４１は、細長い帯状の孔４４（この形状に限定されるものではない）を有し、細長い帯状の孔４４にポール体３３が引っ掛かるようになっている。
該ポール体３３は、浮動体３０が水位に応じて上昇すると同時に、細長い帯状の孔４４を上方に牽引し、閉鎖体４０を上昇させる。閉鎖体４０は、蓋４３が開口部２１を密閉するまで上昇し、浮動体３０はポール体３３が閉鎖体４０の上昇が不能となって上昇を停止することで、浮動体３０の浮力は閉鎖体４０に対して圧力となり、蓋４３が開口部２１を閉塞する圧力が増加する。蓋４３の形状は図示されたものに限定されないが、蓋４３の機能は、開口部２１を閉塞し、水が浸入しないように開口部２１を密閉した状態にすることである。細長い帯状の孔４４の両側にあるフレーム４５には、少なくとも１つのくぼみ４６があり、くぼみ４６の位置はちょうど浮動体３０の微突起３４と噛み合うようになっている。例えば、浮動体３０が上昇していないのにかかわらず、閉鎖体４０が上昇したとき、スノーケル１０が過度に傾いたとき、または開口部２１での吸気時の瞬間吸気量が大きいときなど、閉鎖体４０はくぼみ４６が微突起３４に引っ掛かるまで上昇し、閉鎖体４０が上昇不能になることにより、蓋４３が開口部２１を閉塞するのを防止する。カバー体５０は、内部が空洞なっていて、その機能は従来のものと変わりなく、内部の部品に動く空間を与えることと、水位が昇降したとき、水をカバー体５０内に出入させることである。図４のように、本考案のカバー体５０は、碗状を呈しており、本体２０と連結できるようになっており、浮動体３０および閉鎖体４０に昇降移動できる空間を与えている。カバー体５０には、複数個の窓口５１があり、水の出入に使用される。
【００１７】
図５、６、７は本考案の一実施形態による側面図で、カバー体５０は、破線により表示されている。
前記図５は、正常な使用状態における本案の主体２０が水面上にある状態を示す側面図である。浮動体３０は上昇しておらず、閉鎖体４０も浮動体３０によって上昇させられていない。
前記図６は、スノーケル１０が異常に傾いている状態を示す側面図である。浮動体３０は上昇しておらず、閉鎖体４０は傾きなどの要因により上昇している。このとき、くぼみ４６は微突起３４に引っ掛かり、浮動体３０は閉鎖体４０が上昇するのを防止している。閉鎖体４０は、これ以上上昇できないので、当然蓋４３は開口部２１を閉塞することはない。
前記図７で示されるように、水位が上昇すると、浮動体３０が上昇し、浮動体３０のポール体３３が閉鎖体４０を牽引して上昇させ、閉鎖体４０の蓋４３が開口部２１を閉塞するようになっている。
【００１８】
以上のように、本考案の開口部２１を閉塞する装置は、浮動体３０および閉鎖体４０からなり、浮動体３０が閉鎖体４０を牽引する方法により、開口部２１を閉塞する動作を行うことを特徴としている。また、浮動体３０は微突起３４を有し、閉鎖体４０のくぼみ４６に引っ掛かる構造になっている。浮動体３０が上昇していないのにかかわらず、閉鎖体４０が上昇を開始すると、微突起３４がくぼみ４６に引っ掛かり、閉鎖体４０は上昇不能になり誤動作を防止することができる。
【００１９】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案登録請求の範囲で指定した内容を基準とする。
【図面の簡単な説明】
【００２０】
【図１】公知のスノーケル構造を示す側面図である。
【図２】図１のスノーケルおよび防水器の傾いた状態を示す側面図である。
【図３】本考案の立体図である。（カバー体は点線で表示）
【図４】本考案の構造の立体分解図である。
【図５】本考案の構造の水面上における通常状態の説明図である。
【図６】本考案の構造の水面上における傾斜状態の説明図である。
【図７】本考案の構造の水面下における状態の説明図である。
【符号の説明】
【００２１】
Ａ  浮動体
Ｂ  蓋
Ｃ  開口部
Ｄ  カバー体
１０  スノーケル
２０  本体
２１  開口部
２２  上壁
２３  第一支軸部
２４  第二支軸部
３０  浮動体
３１  浮動体本体
３２  透孔
３３  突起
３４  微突起
４０  閉鎖体
４１  閉鎖体本体
４２  透孔
４３  蓋
４４  孔
４５  フレーム
４６  くぼみ
５０  カバー体
５１  窓口
【図１】
0003121750.tif 000003
【図２】
0003121750.tif 000004
【図３】
0003121750.tif 000005
【図４】
0003121750.tif 000006
【図５】
0003121750.tif 000007
【図６】
0003121750.tif 000008
【図７】
0003121750.tif 000009